(57)【要約】【課題】着脱可能な撮影光学系に対し、焦点検出領域を簡便かつ適正に設定できる焦点検出装置、撮像装置およびカメラシステムを提供する。【解決手段】撮影光学系の焦点調節状態を複数の焦点検出領域において検出可能な位相差方式の焦点検出装置で、撮影光学系の射出瞳の互いに異なる領域を通過した光束をそれぞれ結像させる焦点検出光学系と、焦点検出光学系からの光束を受光するセンサと、センサの出力に基づいて、撮影光学系の焦点調節状態に関する演算を行う制御手段とを有し、制御手段は、撮影光学系のＦ値および射出瞳位置に関する情報に基づいて、焦点検出光学系の入射瞳が撮影光学系の射出瞳に包含される焦点検出領域を判別し、焦点検出光学系の入射瞳が撮影光学系の射出瞳に包含される焦点検出領域における焦点調節状態の検出を許容し、焦点検出光学系の入射瞳が撮影光学系の射出瞳に包含されない焦点検出領域における焦点調節状態の検出を制限する。【選択図】図１
2014010284.tif 000002
【特許請求の範囲】
【請求項１】
撮影光学系の焦点調節状態を複数の焦点検出領域において検出可能な位相差方式の焦点検出装置であって、
前記撮影光学系の射出瞳の互いに異なる領域を通過した光束をそれぞれ結像させる焦点検出光学系と、該焦点検出光学系からの光束を受光するセンサと、該センサの出力に基づいて、前記撮影光学系の焦点調節状態に関する演算を行う制御手段とを有し、該制御手段は、
前記撮影光学系のＦ値および前記撮影光学系の射出瞳位置に関する情報に基づいて、前記焦点検出光学系の入射瞳が前記撮影光学系の射出瞳に包含される焦点検出領域を判別
し、前記焦点検出光学系の入射瞳が前記撮影光学系の射出瞳に包含される焦点検出領域
における焦点調節状態の検出を許容し、前記焦点検出光学系の入射瞳が前記撮影光学系の射出瞳に包含されない焦点検出領域における焦点調節状態の検出を制限することを特徴とする焦点検出装置。
【請求項２】
前記焦点検出光学系の入射瞳が前記撮影光学系の射出瞳に包含される焦点検出領域のパターンを、前記撮影光学系のＦ値および前記撮影光学系の射出瞳位置に関する情報に応じて記憶するパターン記憶手段を有し、前記制御手段は、前記撮影光学系のＦ値および前記撮影光学系の射出瞳位置に関する情報に基づいて、前記パターン記憶手段に記憶されている特定のパターンを選択し、該特定のパターンに対応する焦点検出領域において焦点調節状態の検出を許容することを特徴とする請求項１に記載の焦点検出装置。
【請求項３】
前記パターン記憶手段は、縦線検出と横線検出のそれぞれについて、前記焦点検出光学系の入射瞳が前記撮影光学系の射出瞳に包含される焦点検出領域のパターンを、前記撮影光学系のＦ値および前記撮影光学系の射出瞳位置に関する情報に応じて記憶していることを特徴とする請求項２に記載の焦点検出装置。
【請求項４】
前記射出瞳位置に関する情報は、射出瞳位置であることを特徴とする請求項１乃至３のいずれか１項に記載の焦点検出装置。
【請求項５】
前記射出瞳位置に関する情報は、前記焦点検出領域の各位置に結像する光線の入射角度
であることを特徴とする請求項１乃至３のいずれか１項に記載の焦点検出装置。
【請求項６】
請求項１乃至５のいずれか１項に記載の焦点検出装置と、前記撮影光学系により形成される像を撮像するための撮像素子を有することを特徴とする撮像装置。
【請求項７】
請求項６に記載の撮像装置と、前記撮影光学系を備える撮影レンズとを有することを特徴とするカメラシステム。
【請求項８】
前記撮影レンズは、前記撮影光学系のＦ値および前記撮影光学系の射出瞳位置に関する情報を記憶するレンズ情報記憶手段を有し、前記焦点検出装置の制御手段は、前記撮影光学系のレンズ情報記憶手段から、前記撮影光学系のＦ値および前記撮影光学系の射出瞳位置に関する情報を取得することを特徴とする請求項７に記載のカメラシステム。
【発明の詳細な説明】
【技術分野】
【０００１】
本発明は焦点検出装置、撮像装置およびカメラシステムに関し、特にレンズなどの撮影光学系によるケラレが生じる場合のカメラシステムに適するものである。
【背景技術】
【０００２】
最近、多くの写真用カメラあるいはビデオカメラは、対物レンズ（撮影レンズ）の焦点を自動的に調節する自動焦点調節機能を内蔵している。特に、厳しいピント精度が要求される一眼レフカメラには、位相差検出方式を用いた焦点検出装置が一般に用いられている。この位相差検出方式は、撮影光学系の瞳の異なる領域からの一対の光量分布を光電変換素子の画素列（ラインセンサ列）で受け、両光量分布の相対的位置関係から対物レンズの焦点調節状態を検出する方式である。
【０００３】
この焦点検出方式は、撮影レンズの焦点距離にかかわらずデフォーカス検出が可能であることや、焦点検出の視野の大きさが撮影レンズの焦点距離にかかわらず固定されていることから、撮影レンズ交換式のカメラシステムに好適である。また、近年、位相差検出方式の焦点検出装置であって複数の焦点検出視野を有するものも製品化されている。
【０００４】
しかしながら、この位相差検出方式では、焦点検出側の光学系によって決定される光軸上の所定の位置に所定のＦ値（Ｆナンバー）で一対の入射瞳を備えるが、撮影光学系によっては焦点検出光束にケラレが生じる場合がある。即ち、撮影光学系のＦ値（Ｆナンバー）がこの上記所定のＦ値よりも大きいと焦点検出光束にケラレが生じ、また撮影光学系の瞳が所定の位置と異なる交換レンズを装着した場合には、焦点検出光束にケラレが生じる場合がある。位相差検出方式の焦点検出装置では、焦点検出光束の一部にケラレが生じると、焦点検出精度が著しく低下する。
【０００５】
この影響を改善するために、特許文献１では、撮影光学系の絞り開放時のＦ値と、基準面から射出瞳までの距離と撮影光学系の周辺光量低下の情報から、焦点検出光学系の周辺光量低下を求めている。そして、この求められた周辺光量低下をもとに、光電変換手段の被写体像信号に対して処理を行なうことにより、ケラレの影響を改善している。
【０００６】
また、特許文献２では、焦点検出動作が正常に行なわれるために最低限必要なＦ値と撮影レンズのＦ値を比較し、撮影レンズのＦ値の方が大きい場合には焦点検出の動作を禁止する手段を有している。
【先行技術文献】
【特許文献】
【０００７】
【特許文献１】特開平０３−２１４１３３号公報
【特許文献２】特許第２６１０２３５号公報
【発明の概要】
【発明が解決しようとする課題】
【０００８】
ここで、着脱可能な撮影レンズは、レンズ毎にＦ値や射出瞳位置が異なるために、ケラレの生じる範囲はレンズごとに異なる。特許文献１では撮影光学系の絞り開放時のＦ値と、基準面から射出瞳までの距離と撮影光学系の周辺光量低下の情報から、焦点検出光学系の周辺光量低下量を求めているが、計算が複雑であり、また計算に時間がかかるという問題がある。
【０００９】
また特許文献２では、Ｆ値により焦点検出の動作を禁止しているが、ケラレが生じるかどうかはＦ値のみでは決定できない場合があり、より広範囲で測距可能なレンズの場合も狭い範囲での測距のみしかできなくなってしまう。
【００１０】
本発明の目的は、着脱可能な撮影光学系に対し、焦点検出領域を簡便かつ適正に設定できる焦点検出装置、撮像装置およびカメラシステムを提供することにある。
【課題を解決するための手段】
【００１１】
上記課題を達成するために、本発明の焦点検出装置は、撮影光学系の焦点調節状態を複数の焦点検出領域において検出可能な位相差方式の焦点検出装置であって、前記撮影光学系の射出瞳の互いに異なる領域を通過した光束をそれぞれ結像させる焦点検出光学系と、該焦点検出光学系からの光束を受光するセンサと、該センサの出力に基づいて、前記撮影光学系の焦点調節状態に関する演算を行う制御手段とを有し、該制御手段は、前記撮影光学系のＦ値および前記撮影光学系の射出瞳位置に関する情報に基づいて、前記焦点検出光学系の入射瞳が前記撮影光学系の射出瞳に包含される焦点検出領域を判別し、前記焦点検出光学系の入射瞳が前記撮影光学系の射出瞳に包含される焦点検出領域における焦点調節状態の検出を許容し、前記焦点検出光学系の入射瞳が前記撮影光学系の射出瞳に包含されない焦点検出領域における焦点調節状態の検出を制限することを特徴とする。
【００１２】
また上記焦点検出装置を用いた撮像装置、カメラシステムも本発明の他の一側面を構成する。
【発明の効果】
【００１３】
本発明によれば、着脱可能な撮影光学系に対し、焦点検出領域を簡便かつ適正に設定できる。
【図面の簡単な説明】
【００１４】
【図１】本発明の実施形態に係るカメラシステムの概略構成図である。
【図２】ケラレが生じる原理を示した概念図で、（ａ）は撮影光学系の射出瞳が焦点検出光学系の一対の入射瞳を包含する場合、（ｂ）は撮影光学系の射出瞳が焦点検出光学系の一対の入射瞳を上方の一部で包含しない場合、（ｃ）は撮影光学系の射出瞳が焦点検出光学系の一対の入射瞳を上方および下方の一部で包含しない場合の図である。
【図３】本発明の実施の形態にかかわる測距点を示した図。
【図４】本発明の第２の実施形態に係る測距パターンを示した図で、（ａ）は全測距点９点で測距可能な撮影レンズの場合、（ｂ）は全測距点９点の内、７点で測距可能な撮影レンズの場合、（ｃ）は全測距点９点の内、１点で測距可能な撮影レンズの場合の図である。
【図５】本発明の第３の実施形態に係る２次結像レンズを示した図である。
【図６】本発明の第３の実施形態に係る横線検出の測距パターンを示した図で、（ａ）は全測距点９点で測距可能な撮影レンズの場合、（ｂ）は全測距点９点の内、７点で測距可能な撮影レンズの場合、（ｃ）は全測距点９点の内、縦線方向３点で測距可能な撮影レンズの場合の図である。
【図７】本発明の第３の実施形態に係る縦線検出の測距パターンを示した図で、（ａ）は全測距点９点で測距可能な撮影レンズの場合、（ｂ）は全測距点９点の内、横線方向７点で測距可能な撮影レンズの場合、（ｃ）は全測距点９点の内、横線方向３点で測距可能な撮影レンズの場合の図である。
【図８】位相差方式の焦点検出原理を示す図で、（ａ）は焦点検出光学系および焦点検出ラインセンサの配列に関する概観図、（ｂ）は焦点検出ラインセンサの配置図、（ｃ）は焦点検出領域の複数位置を示す図、（ｄ）は合焦時の像間隔の説明図である。
【発明を実施するための形態】
【００１５】
以下に、本発明の好ましい実施形態を、添付の図面に基づいて詳細に説明する。
【００１６】
《第１の実施形態》
（カメラシステム）
図１は、本発明の実施形態に係る焦点検出装置を用いた撮像装置としての一眼レフレックスカメラと、撮影レンズにより構成されるカメラシステムの概略構成図である。図１において、着脱可能な撮影レンズ１の内部には撮影光学系２、撮影光学系を構成するレンズのすべて、もしくは一部を移動させ、焦点調整するための焦点調整手段３、撮影レンズ１を制御するためのレンズ制御手段４、ＲＯＭ等のレンズ記憶手段５を含んでいる。
【００１７】
一方、カメラ本体（撮像装置）８は、主ミラー９、撮影媒体としてフィルムまたは撮像素子１５、サブミラー１６、焦点検出装置１７、カメラ演算手段１８、後述する焦点検出領域の適否を判別する判別手段１９、カメラ記憶手段２８を含んでいる。また、撮影レンズ１およびカメラ本体８は接点２０を有し、互いに装着された状態では接点２０を介して情報の通信や電源の供給が行われる。
【００１８】
なお、本発明の制御手段は、本実施形態におけるカメラ演算手段１８と判別手段１９に対応している。制御手段は、１つの演算手段がカメラ演算手段１８と判別手段１９の機能を兼用する構成であっても良いし、カメラ演算手段１８と判別手段１９のそれぞれに対応する複数の演算手段を備える構成であっても良い。
【００１９】
被写体像を所定面に結像する撮影光学系の光軸Ｌａに沿って入射する光束は、半透過部を備える主ミラー９に達し、反射光と透過光の二つの光束に分割される。反射光側には光軸Ｌａに沿って焦点板１０、ペンタプリズム１１、接眼レンズ１２が配置され、これらの部材は焦点板１０上に形成されたファインダー像の視認のためのファインダー系を構成する。一方、主ミラー９の透過光側には光軸Ｌａに沿って、可動のサブミラー１６、位相差方式の焦点検出装置１７が配置される。本実施形態では、撮影レンズ１の撮影光学系２の射出瞳６の内、一対の領域７ａと７ｂを通過した光束を用いて、公知の位相差方式で焦点検出を行っている。
【００２０】
（焦点検出装置）
撮影レンズ１に対して固設される焦点検出装置１７は、フィールドレンズ３４、２次結像ミラー２２、赤外カットフィルタ２３、絞り３８、２次結像レンズ３９、焦点検出面の焦点検出ラインセンサ１０１、焦点検出回路２７等から構成されている。被写体像に関して、絞り３８および、２次結像レンズ３９により、水平方向、または垂直方向に２対以上の複数対の光量分布が焦点検出ラインセンサ１０１上に形成される。
【００２１】
位相差焦点検出装置１７は、フィールドレンズ３４、２次結像レンズ３９を備える焦点検出光学系からの光束を受光するセンサとしての焦点検出ラインセンサ１０１からの信号を用いて、撮影光学系２の焦点位置を検出し、その結果を焦点ずれ量として出力する。
【００２２】
自動焦点検出の際には、焦点検出装置１７からの出力に基づき、撮影レンズ１の内部に配置される焦点調整手段３により、撮影レンズ１を構成するレンズのすべて、もしくは一部が駆動され焦点状態が調節される。
【００２３】
（焦点検出原理）
撮影光学系の焦点調節状態を検出するための焦点検出装置として、位相差方式の焦点検出装置の焦点検出原理について、例示として、特許第４５５１７０８号公報に開示されるものを以下に示す。図８（ａ）に、焦点検出光学系および焦点検出ラインセンサの配列に関する概観図を示す。
【００２４】
サブミラー１６で反射された被写体からの光束は、図８（ａ）中のフィールドレンズ３４の視野マスク３２の近傍に一旦結像する。視野マスク３２は画面内の焦点検出領域（予め複数位置が定められている）を決定するための遮光部材であり、中央に十字形の開口部と両側には縦長の開口部を２つ有している。フィールドレンズ３４を構成する三つのレンズはそれぞれ視野マスク３２の三つの開口部に対応している。
【００２５】
フィールドレンズ３４は、絞り３８の各開口部を撮影光学系２の射出瞳付近に結像する作用を有している。フィールドレンズ３４の後方には、絞り３８が配置され、中央部には上下に一対づつ計四つの開口部が、また左右の周辺部には１対の二つの開口部がそれぞれ設けられている。絞り３８の後方には二次結像レンズ３９が設けられ、４対計八つのレンズから構成され、それぞれのレンズは絞り３８の各開口部に対応している。視野マスク３２、フィールドレンズ３４、絞り３８、二次結像レンズ３９を通過した各光束は、焦点検出用センサ１０１上の４対８つのセンサ列上に結像する。
【００２６】
ここで、図８（ｂ）、図８（ｃ）に示すように、センサ列１１１ａ、１１１ｂ対がファインダ８０内の焦点検出枠８１ａに、センサ列１１１ｃ、１１１ｄ対と１１１ｅ、１１１ｆ対が焦点検出枠８１ｂに対応している。また、センサ列１１１ｇ、１１１ｈが焦点検出枠８１ｃに対応している。各センサ列対上の像を光電変換し、４対の像信号の相対位置変位を検出することで、画面上の縦横１ヶ所、周辺２ヶ所の計３ヶ所の焦点検出領域の焦点状態を検出することができる。
【００２７】
即ち、図８（ｄ）に示すように、結像面に結像する合焦状態では像間隔がＨとなる。これに対し、結像面の前方に結像する状態（前ピン）では像間隔はＨより小さくなり、結像面の後方に結像する状態（後ピン）では像間隔はＨより大きくなる。
【００２８】
（撮影光学系の射出瞳と焦点検出光学系の入射瞳の包含関係）
図２は、撮影光学系２の射出瞳６の位置の違いによって生じる焦点検出装置１７で使用する光束のケラレを説明する図である。図２（ａ）は、撮影光学系２が明るく（Ｆ値が小さく）、射出瞳６の位置と焦点検出装置１７の入射瞳７ａ、７ｂの位置が一致する場合を示す。入射瞳７ａ、７ｂの位置における撮影光学系２の光束６に、焦点検出装置１７が使用する光束が包含されることを示している。
【００２９】
図２（ａ）中、６Ａは焦点検出装置１７の入射瞳位置における、撮影光学系２の光束を示し、瞳７ａ―Ａ、７ｂ―Ａは位相差焦点検出装置１７が使用する光束範囲を示している。撮影光学系２の射出瞳６の位置と、焦点検出装置１７の入射瞳７ａ、７ｂの位置が一致し、かつ撮影光学系２の射出瞳６のＦ値が焦点検出装置１７の特定している所定のＦ値よりも小さい場合は、焦点検出装置１７で使用する光束にケラレは生じない。そこで、焦点検出光学系の入射瞳が撮影光学系の射出瞳に包含される焦点検出領域における焦点調節状態の検出が許容される。
【００３０】
しかしながら、撮影光学系２の射出瞳６の位置と、焦点検出系１７の入射瞳７ａ、７ｂの位置が一致していない場合は、焦点検出装置１７で使用する光束にケラレが生じる。即ち、図２（ｂ）では撮影光学系２の射出瞳６の位置と、焦点検出装置１７の入射瞳の位置が一致していないために焦点検出装置１７の使用する光束にケラレが生じることを示している。図２（ｂ）中の６Ｂは焦点検出装置１７の入射瞳位置における、撮影光学系２の軸外からの光束を示し、７ａ―Ｂ、７ｂ―Ｂは焦点検出装置１７が使用する光束の位置を示している。
【００３１】
図２（ｂ）の状態では、焦点検出装置１７が使用する光束のうち７ａ―Ｂにケラレが生じることとなり、焦点検出ラインセンサ１０１に光量低下が起こる。そこで、焦点検出光学系の入射瞳が撮影光学系の射出瞳に包含されない焦点検出領域における焦点調節状態の検出は制限される。
また、焦点検出装置１７の入射瞳７ａ、７ｂは所定の位置に所定のＦ値で特定されるが、撮影光学系２の射出瞳６のＦ値が焦点検出装置１７の特定しているＦ値よりも大きい場合にも、焦点検出装置１７が使用する光束にケラレが生じる。即ち、図２（ｃ）では、撮影光学系２の射出瞳６のＦ値が焦点検出装置１７の特定しているＦ値よりも大きい場合にケラレが生じることを示している。図２（ｃ）で、６Ｃは焦点検出装置１７の入射瞳位置における撮影光学系２の光軸からの光束を示し、７ａ―Ｃ、７ｂ―Ｃは焦点検出装置１７が使用する光束の位置を示している。
【００３２】
図２（ｃ）の状態では、７ａ―Ｃ、７ｂ―Ｃともにケラレが生じ、焦点検出ラインセンサ１０１に光量低下が起こる。そこで、焦点検出光学系の入射瞳が撮影光学系の射出瞳に包含されない焦点検出領域における焦点調節状態の検出は制限される。
このように、撮影レンズ毎に焦点検出装置１７で使用する光束のケラレ方は異なり、これにより、焦点検出ラインセンサ１０１上の光量低下も撮影レンズ毎に異なる。
【００３３】
ここで、本実施形態では、撮影光学系の焦点調節状態を複数の焦点検出領域において検出可能な位相差方式の焦点検出装置とすべく、軸上位置（中心位置）だけではなく、複数の焦点検出領域として９点の測距点が設けられている。そして、測距点ごとにレンズ記憶手段５に記憶された撮影光学系２のＦ値と射出瞳位置を用いて、測距が可能かどうかを判別手段１９で判定する。図３は本実施形態の測距ポイントを示す図である。測距ポイントの内、中心の視野は、Ｆ値のみによってケラレが生じるかどうかが決まることから、中心視野で測距が可能かどうかはＦ値によって決定される。
【００３４】
それに対して、周辺の視野ではＦ値と瞳距離によってケラレが生じるかどうかが決まることから、周辺視野で測距が可能かどうかはＦ値と射出瞳位置によって決定される。
【００３５】
本実施形態の場合、Ｆ値が２．８以下の明るいレンズは全測距ポイントで測距が可能である。一方Ｆ値が２．８より大きく５．６以下のレンズの場合は、レンズの射出瞳位置が、焦点検出装置の設定する射出瞳位置範囲内であれば、周辺視野で測距可能となる。レンズの射出瞳距離をＬ、Ｆ値が２．８より大きく５．６以下のレンズで、周辺視野で測距が可能な最小射出瞳位置をＳｍｉｎ、最大射出瞳位置をＳｍａｘとすると以下の条件の場合に、測距可能と判別手段１９が判別する。
【００３６】
Ｓｍｉｎ≦Ｌ＜Ｓｍａｘ
本実施形態では、測距点毎にこのＳｍｉｎとＳｍａｘを設定していて、各測距点のＳｍｉｎとＳｍａｘはカメラ記憶手段２８に記憶している。このＳｍｉｎとＳｍａｘは、Ｆ値ごとにより細かく設定することも可能である。
【００３７】
本実施形態では、この判別手段１９の出力に基づいて、焦点検出領域として適切でない測距点を除くようにして判別手段１９が焦点検出領域を再設定する、即ち測距点を９点から例えば７点に変更した焦点検出領域に再設定する。
【００３８】
《第２の実施形態》
本実施形態では、焦点検出領域として予め複数の測距範囲パターン（焦点検出領域パターン）をパターン記憶手段としてのカメラ記憶手段２８に記憶しておく。そして、レンズ情報記憶手段としてのレンズ記憶手段５に記憶されている撮影光学系２のＦ値と射出瞳位置に関する情報を取得して、候補となる焦点検出領域パターンの適否を判別手段１９で判別し、妥当な焦点検出領域パターンを選択する。
【００３９】
第１の実施形態では、測距点ごとに個別に焦点検出領域の適否を判別をしていたが、本実施形態では測距可能範囲をパターン化し、撮影光学系２のＦ値と射出瞳位置情報から全体としての焦点検出領域の適否を判別し妥当なパターンを選択するものである。そして、選択された特定のパターンに対応する焦点検出領域において
焦点調節状態の検出を許容するようにする。
【００４０】
図４にカメラ記憶手段２８に記憶されているパターン化した測距可能範囲を示す。本実施形態では、Ｆ値が２．８以下の明るい撮影光学系の場合は図４の（ａ）のパターンのように全測距点９点で測距可能となる。Ｆ値が２．８より大きく５．６以下の場合は、撮影光学系の射出瞳位置によって測距可能範囲が異なる設定となる。レンズの射出瞳距離をＬ、Ｆ値が２．８より大きく５．６以下のレンズで測距が可能な最小射出瞳位置をＳｍｉｎ１、最大射出瞳位置をＳｍａｘ１とすると、以下の条件に該当する場合、測距範囲は図４の（ｂ）の範囲で測距が可能となる。
【００４１】
Ｓｍｉｎ１≦Ｌ＜Ｓｍａｘ１
このときのＳｍｉｎ１とＳｍａｘ１はカメラ記憶手段２８に記憶されている。更に、Ｆ値が２．８より大きく５．６以下の撮影光学系で上記の射出瞳位置以外のレンズの場合は図４の（ｃ）のパターンで測距が可能となる。
【００４２】
このように本実施形態では、レンズ記憶手段５に記憶されている撮影光学系２のＦ値と射出瞳位置によって、全体としての焦点検出領域の適否を判別する。そして、適切でないと判別される場合は、カメラ記憶手段２８に記憶された測距範囲パターンから適切な焦点検出領域を再設定するように判別手段１９が適切なパターンを決定する。
【００４３】
《第３の実施形態》
本実施形態では、複数の焦点検出装置で同一箇所の測距が可能な、いわゆるクロス測距の場合、撮影レンズ毎の測距パターンを焦点検出装置毎に独立に設定をする。クロス測距においては、横線検出を行う焦点検出装置と、縦線検出を行う焦点検出装置で構成されているが、横線検出を行う焦点検出装置でケラレが生じる範囲と、縦線検出を行う焦点検出装置でケラレが生じる範囲が異なる。従って、焦点検出装置毎に独立に焦点検出領域を判別手段１９により適否を判別し、適切でない場合は適切な焦点検出領域となるように焦点検出領域を再設定する。これにより、より広範囲において高精度に測距が可能となる。
【００４４】
本実施形態では、図５のような２次結像レンズを用いて、図３の全９点においてクロス測距が可能となっている。また本実施形態では、カメラ記憶手段２８に横線検出の測距範囲パターンと縦線検出の測距範囲パターンを記憶している。カメラ記憶手段２８に記憶されている縦線検出に関する測距範囲パターンを図６に、横線検出に関する測距範囲パターンを図７に示す。
【００４５】
縦線検出においてはＦ値が２．８以下の明るい撮影光学系の場合は図６の（ａ）のように焦点検出領域として全測距点９点で測距が可能となる。Ｆ値が２．８より大きく５．６以下の場合は、撮影光学系の射出瞳位置によって焦点検出領域（測距可能範囲）が異なるものに再設定される。
【００４６】
撮影光学系の射出瞳距離をＬ、Ｆ値が２．８より大きく５．６以下の撮影光学系で測距が可能な最小射出瞳位置をＳｍｉｎ１、最大射出瞳位置をＳｍａｘ１とすると、以下の条件に該当する場合、図６（ｂ）の範囲で縦線検出の測距が可能となる。
【００４７】
Ｓｍｉｎ１≦Ｌ＜Ｓｍａｘ１
ここで、Ｓｍｉｎ１とＳｍａｘ１はカメラ記憶手段２８に記憶されている。
【００４８】
Ｆ値が２．８より大きく５．６以下の撮影光学系で、上記の射出瞳位置以外の撮影光学系の場合は、図６（ｃ）で縦線検出測距が可能となる。同様に横線検出の場合も適切な焦点検出領域となるように再設定を行う。
【００４９】
横線検出においてはＦ値が２．８以下の明るい撮影光学系の場合は、図７（ａ）のように全測距点９点で測距が可能となる。Ｆ値が２．８より大きく５．６以下の場合は、撮影光学系の射出瞳位置によって、焦点検出領域（測距可能範囲）が異なるものに再設定される。撮影光学系の射出瞳距離をＬ、Ｆ値が２．８より大きく５．６以下の光学系で測距が可能な最小射出瞳位置をＳｍｉｎ２、最大射出瞳位置をＳｍａｘ２とすると、以下の条件に該当する場合、図７（ｂ）の範囲で縦線検出の測距が可能となる。
【００５０】
Ｓｍｉｎ２≦Ｌ＜Ｓｍａｘ２
ここで、Ｓｍｉｎ２とＳｍａｘ２はカメラ記憶手段２８に記憶している。
【００５１】
更に、Ｆ値が２．８より大きく５．６以下の撮影光学系で、上記の射出瞳位置以外の撮影光学系の場合は、図７（ｃ）で縦線検出測距が可能となる。
【００５２】
本実施形態のように、独立に２つの焦点検出装置の測距可能範囲を判別手段１９により決定することで、より広範囲でクロス測距を行うことができる撮影光学系があり、高精度に焦点検出を行うことができる。更にクロス測距ができない場合にも、縦線検出また横線検出のどちらか一方を行える視野が増えることにより、広範囲において測距が可能となる。
【００５３】
以上、本発明の好ましい実施形態について説明したが、本発明はこれらの実施形態に限定されず、その要旨の範囲内で種々の変形及び変更が可能である。
【００５４】
（変形例１）
上述した実施形態では、撮影光学系のＦ値および撮影光学系の射出瞳位置に基づき、射出瞳が入射瞳を包含するか否かに応じて、焦点検出領域の各位置に対して個別にもしくは全体として焦点検出領域の適否を判別し、適切でない場合は再設定した。しかしながら、本発明はこれに限らず、撮影光学系の射出瞳位置に相当する情報として各測距点に結像する光線の入射角度を用いることもできる。
【００５５】
（変形例２）
上述した実施形態では、撮影光学系として透過型の結像素子としてのレンズを有するものであったが、反射型のミラー結像素子を用いるものでも良い。
【符号の説明】
【００５６】
１・・撮影レンズ、２・・撮影光学系、６・・撮影光学系の射出瞳、７ａ、７ｂ・・焦点検出装置の入射瞳、１７・・焦点検出装置、１９・・判別手段、３４・・フィールドレンズ、３９・・２次結像レンズ、１０１・・焦点検出ラインセンサ
【図１】
2014010284.tif 000003
【図２】
2014010284.tif 000004
【図３】
2014010284.tif 000005
【図４】
2014010284.tif 000006
【図５】
2014010284.tif 000007
【図６】
2014010284.tif 000008
【図７】
2014010284.tif 000009
【図８】
2014010284.tif 000010